(57)【要約】【課題】棚板の着脱を容易に行えるとともに、棚板の落下を防止できる棚板支持具を提供する。【解決手段】壁固定手段Ｈで壁Ｗに固定される壁側金具２と、棚板固定手段Ｉで棚板Ｓに固定される棚板側金具３とを備える。壁側金具２は、取付板部Ａ、及び取付板部Ａの一端部から前方へ延びる棚板支持部Ｂ、並びに、取付板部Ａと棚板支持部Ｂとの交差部に位置する壁側磁着部４を有する。棚板側金具３は、棚板支持部Ｂに載った状態から後方へスライドさせることにより、壁側磁着部４に磁着する棚板側磁着部５を有する。棚板支持部Ｂは、壁側掛止部６Ａ，６Ｂを有するとともに、棚板側金具３は、壁側磁着部４と棚板側磁着部５とが磁着した状態で、壁側掛止部６Ａ，６Ｂに掛止する棚板側掛止部７Ａ，７Ｂを有する。壁側掛止部６Ａ，６Ｂに棚板側掛止部７Ａ，７Ｂが掛止した状態では、棚板側金具３の上方への移動が規制される。【選択図】図３
2019129929.tif 000002
【特許請求の範囲】
【請求項１】
壁に取り付けて棚板を支持する棚板支持具であって、
壁固定手段で壁に固定される壁側金具と、
棚板固定手段で棚板に固定される棚板側金具とを備え、
前記壁側金具は、
壁面に沿う、上下方向に長い取付板部、及び、前記取付板部の一端部から前方へ延びる棚板支持部、並びに、
前記取付板部と前記棚板支持部との交差部に位置する壁側磁着部を有し、
前記棚板側金具は、
前記棚板支持部に載った状態から前記取付板部に近づけるように後方へスライドさせることにより、前記壁側磁着部に磁着する棚板側磁着部を有し、
さらに、
前記壁側金具の棚板支持部は、壁側掛止部を有するとともに、
前記棚板側金具は、前記壁側磁着部と前記棚板側磁着部とが磁着した状態で、前記壁側掛止部に掛止する棚板側掛止部を有し、
前記壁側掛止部に前記棚板側掛止部が掛止した状態では、前記棚板側金具の上方への移動が規制されることを特徴とする
棚板支持具。
【請求項２】
前記壁側磁着部と前記棚板側磁着部とが磁着した状態から前記棚板側金具を前方へスライドさせた際に、前記棚板支持部に当止される当止片を前記棚板側金具に備える
請求項１記載の棚板支持具。
【請求項３】
前記壁側金具の棚板支持部は上下対称形状である
請求項１又は２に記載の棚板支持具。
【請求項４】
前記棚板側金具と前記棚板との間にスペーサを備えるとともに、
前記壁固定手段で前記壁側金具を壁に固定し、前記壁側金具の壁側磁着部と前記棚板側金具の棚板側磁着部とが磁着し、前記壁側金具の壁側掛止部に前記棚板側金具の棚板側掛止部が掛止した状態で、前記スペーサにより形成される前記棚板側金具と前記棚板との間の間隙に挿入可能な挿入片を有する、前記壁側金具の棚板支持部及び前記棚板側金具を被う棚板下面カバー体を備え、
前記棚板下面カバー体を装着した状態では、前記間隙に挿入された前記挿入片により、前記壁側金具の棚板支持部から前記棚板側金具を取り外すことが規制される
請求項１〜３の何れか１項に記載の棚板支持具。
【請求項５】
前記壁固定手段は、壁面に対する傾斜方向を変えた複数の固定ピンを斜めに打ち込むものである
請求項１〜４の何れか１項に記載の棚板支持具。
【請求項６】
請求項１〜５の何れか１項に記載の棚板支持具の複数と、一つの棚板とを備えた棚。
【請求項７】
前記壁側金具の取付板部を被う壁前面カバー体、並びに、
前記壁側金具の棚板支持部及び前記棚板側金具を被う棚板下面カバー体を備える
請求項６記載の棚。
【発明の詳細な説明】
【技術分野】
【０００１】
本発明は、石膏ボード等の壁に取り付けて棚板を支持する棚板支持具に関する。
【背景技術】
【０００２】
壁に取り付けて棚板を支持する棚板支持具として、Ｌ字型のもの（特許文献１の図１０の支持部材１０３）を複数用いるものや、断面コの字型で長尺のもの（特許文献１の図４及び図８の係止金具４）を用いるものがある。
前記Ｌ字型の棚板支持具は、壁体（１０１）にねじにより固定され、その上に棚板（１０２）をねじにより固定している（特許文献１の図１０）。
前記断面コの字型で長尺の棚板支持具は、壁体（２）にねじ（Ｓ１）により固定され、その断面コの字型の凹部に棚板（板材３１ｃ）の一端部を挿入し、ねじ（Ｓ２）により固定している（特許文献１の図８）。
【０００３】
前記棚板支持具として、直角三角形状の枠体で構成することにより棚板の荷重に対する耐荷重性を高めたものがある（例えば、特許文献２参照）。
特許文献２の構成は、例えば、壁面（Ｗ）への取り付け用の垂直辺部（２０，３０）と、垂直辺部（２０，３０）から水平方向に突出形成された上下の水平辺部（２１，３１）と、を有し、垂直辺部（３０）、水平辺部（３１）及び斜辺部（３２）で直角三角形状の枠体を構成している。そして、上下の水平辺部（２１，３１）間に棚板（Ｓ）を挟持し、垂直辺部（２０，３０）を壁面（Ｗ）に木ねじ等のビス（ｂ）で固定するとともに、棚板（Ｓ）を水平辺部（２１）等に木ねじ等のビス（ｂ）で固定している。
【０００４】
前記棚板支持具として、２枚の棚板を左右に食い違いに取り付けた違い棚専用の壁取付具を用いて壁に対する取付強度を高くしたものがある（例えば、特許文献３参照）。
特許文献３の構成は、略Ｚ字に似た形状に折れ曲がった薄い板材からなる取付具本体（２）に、方立固定部（４）及び上下の棚板固定部（６，６）を突設して壁取付具（１）としており、取付具本体（２）をねじ（Ｓ，Ｓ，…）により壁（Ｗ）に固定している。そして、方立固定部（４）及び上下の棚板固定部（６，６）を、棚本体（１０）における、方立材（１１）の後端面に形成した方立固定部収容凹部（１５）及び上下の水平棚板（１２，１２）の後端面に形成した棚板固定部収容凹部（１６，１６）に収容した状態で、棚本体（１０）をねじ（Ｓ，Ｓ，…）により壁取付具（１）に固定している。
【０００５】
また、特許文献１及び特許文献３には、猫をペットとして飼育している住居において、猫の運動不足解消用として壁に設置する棚が記載されている。
【０００６】
さらに、壁材が石膏ボード、モルタル、又は発泡樹脂等であり、ビス止めが効かない脆弱な壁面に対して棚を取り付ける際には、壁に対する棚板支持具の固定手段として、石膏ボード等に用いるアンカーを用いるか、あるいは、壁面に対する傾斜方向を変えた複数の固定ピン（例えば、特許文献４及び５参照）を所要数用いることが考えられる。
【先行技術文献】
【特許文献】
【０００７】
【特許文献１】特開２０１０−１１７６１号公報
【特許文献２】実開平１−９９２５１号公報
【特許文献３】特開２０１６−２０５０５３号公報
【特許文献４】特開２０１２−１８４６２８号公報
【特許文献５】特開２０１６−１１８０５５号公報
【発明の概要】
【発明が解決しようとする課題】
【０００８】
以上のような従来の特許文献１ないし３のような棚板支持具において、壁に固定された棚板支持具への棚板の取付けは、棚板の落下を防止するために、ビス止めにより行っている。
したがって、壁に固定された棚板支持具に対して棚板を取り付ける作業を、ドライバーや六角レンチ等の工具を用いて行う必要があるので、棚板を取り付ける作業に手間が掛かる。
その上、棚板を交換する際には、前記工具を用いて棚板を取り外した後に、前記工具を用いて別の棚板を棚板支持具に取り付ける作業を行う必要があるので、作業者の負担が増大する。
【０００９】
そこで本発明が前述の状況に鑑み、解決しようとするところは、棚板の着脱を容易に行えるとともに、棚板の落下を防止できる棚板支持具を提供する点にある。
【課題を解決するための手段】
【００１０】
本発明に係る棚板支持具は、前記課題解決のために、壁に取り付けて棚板を支持する棚板支持具であって、
壁固定手段で壁に固定される壁側金具と、
棚板固定手段で棚板に固定される棚板側金具とを備え、
前記壁側金具は、
壁面に沿う、上下方向に長い取付板部、及び、前記取付板部の一端部から前方へ延びる棚板支持部、並びに、
前記取付板部と前記棚板支持部との交差部に位置する壁側磁着部を有し、
前記棚板側金具は、
前記棚板支持部に載った状態から前記取付板部に近づけるように後方へスライドさせることにより、前記壁側磁着部に磁着する棚板側磁着部を有し、
さらに、
前記壁側金具の棚板支持部は、壁側掛止部を有するとともに、
前記棚板側金具は、前記壁側磁着部と前記棚板側磁着部とが磁着した状態で、前記壁側掛止部に掛止する棚板側掛止部を有し、
前記壁側掛止部に前記棚板側掛止部が掛止した状態では、前記棚板側金具の上方への移動が規制されることを特徴とする（請求項１）。
【００１１】
このような棚板支持具は、壁側金具及び棚板側金具により構成され、棚板側金具は予め棚板固定手段で棚板に固定しておく。
壁に棚を取り付ける際には、壁面の所望位置に壁側金具の取付板部を位置決めし、壁固定手段で壁に固定する。
次に、壁に固定した壁側金具の棚板支持部上に、棚板側金具を取り付けた棚板を載置し、棚板側金具を取付板部に近づけるように後方へスライドさせ、棚板側磁着部を壁側磁着部に磁着させる。それにより、棚板の取付けが完了するとともに、棚板の前方へのスライドを妨げる方向に磁気吸引力が作用する。
その上、壁側磁着部と棚板側磁着部とが磁着した状態では、棚板側掛止部が壁側掛止部に掛止する。それにより、棚板側金具の上方への移動が規制されるので、前記磁気吸引力の作用と相俟って、棚板の落下を防止できる。
棚板を取り外す際には、棚板を前方へスライドさせることにより、前記磁気吸引力に抗して棚板側磁着部を壁側磁着部から離反させるとともに、棚板側掛止部の壁側掛止部への掛止を解除する。それにより棚板及び棚板側金具を取り外すことができる。
以上のとおり、壁側金具の棚板支持部に対して、棚板及び棚板側金具の着脱を、工具を用いずに非常に容易に行うことができる。
【００１２】
ここで、前記壁側磁着部と前記棚板側磁着部とが磁着した状態から前記棚板側金具を前方へスライドさせた際に、前記棚板支持部に当止される当止片を前記棚板側金具に備えるのが好ましい実施態様である（請求項２）。
【００１３】
このような構成によれば、棚板を取り外す際に棚板を前方へスライドさせ、それにより前方へスライドした棚板側金具は、その当止片が棚板支持部に当止される。
よって、棚板及び棚板側金具の前方へのそれ以上のスライド移動が規制されるので、棚板の不意の落下を防止できる。
【００１４】
また、前記壁側金具の棚板支持部は上下対称形状であるのがより好ましい実施態様である（請求項３）。
【００１５】
このような構成によれば、上下方向に長い取付板部及び取付板部の一端部から前方へ延びる棚板支持部により構成される側面視略Ｌ字状の壁側金具を、棚板支持部が取付板部の下端部から前方へ延びる第１形態、及び棚板支持部が取付板部の上端部から前方へ延びる第２形態の両形態で、棚板支持部上に棚板を取り付けることができるので、棚の使い勝手を向上できる。
【００１６】
さらに、前記棚板側金具と前記棚板との間にスペーサを備えるとともに、
前記壁固定手段で前記壁側金具を壁に固定し、前記壁側金具の壁側磁着部と前記棚板側金具の棚板側磁着部とが磁着し、前記壁側金具の壁側掛止部に前記棚板側金具の棚板側掛止部が掛止した状態で、前記スペーサにより形成される前記棚板側金具と前記棚板との間の間隙に挿入可能な挿入片を有する、前記壁側金具の棚板支持部及び前記棚板側金具を被う棚板下面カバー体を備え、
前記棚板下面カバー体を装着した状態では、前記間隙に挿入された前記挿入片により、前記壁側金具の棚板支持部から前記棚板側金具を取り外すことが規制されるのが一層好ましい実施態様である（請求項４）。
【００１７】
このような構成によれば、棚板下面カバー体を装着した状態では、棚板側金具と棚板との間の間隙に挿入された棚板下面カバー体の挿入片により、壁側金具の棚板支持部から棚板側金具を取り外すことが規制されることから、棚板の落下を確実に防止できる。
その上、棚板下面カバー体により壁側金具の棚板支持部及び棚板側金具を被っていることから、棚板の下面側から見た際の外観が滑らかな印象となるので、意匠性を向上できる。
【００１８】
さらにまた、前記壁固定手段は、壁面に対する傾斜方向を変えた複数の固定ピンを斜めに打ち込むものであるのも好ましい実施態様である（請求項５）。
【００１９】
このような構成によれば、壁材が石膏ボード、モルタル、又は発泡樹脂等であり、ビス止めが効かない脆弱な壁面であっても、壁面に対する傾斜方向を変えた複数の固定ピンを斜めに打ち込む壁固定手段により壁側金具を壁に固定できる。
その上、固定ピンを抜いた穴跡は小さいので、賃貸住宅等であっても穴跡を気にせずに施工できる。
【００２０】
本発明に係る棚は、前記棚板支持具の複数と、一つの棚板とを備えたものである（請求項６）。
【００２１】
このような構成によれば、前記棚板支持具と同様の作用効果を奏する。
その上、壁側金具の棚板支持部に対する棚板及び棚板側金具の着脱が容易であるので、本発明の既設の棚に対して、使用者が、内装の変更又は自身の好み若しくは気分等に合わせて選択した棚板を容易に付け替えることができる。
あるいは、本発明の既設の複数の棚の間で、使用者が棚板を容易に交換することができる。
【００２２】
ここで、前記壁側金具の取付板部を被う壁前面カバー体、並びに、
前記壁側金具の棚板支持部及び前記棚板側金具を被う棚板下面カバー体を備えるのが好ましい実施態様である（請求項７）。
【００２３】
このような構成によれば、壁前面カバー体により壁側金具の取付板部を被っていることから、取付板部が棚板支持部よりも上方にある場合は棚板の上面側から見た際の外観が滑らかな印象となり、取付板部が棚板支持部よりも下方にある場合は棚板の下面側から見た際の外観が滑らかな印象となるので、意匠性を向上できる。
その上、棚板下面カバー体により壁側金具の棚板支持部及び棚板側金具を被っていることから、棚板の下面側から見た際の外観が滑らかな印象となるので、さらに意匠性を向上できる。
【発明の効果】
【００２４】
以上のように、本発明に係る棚板支持具、及び棚によれば、壁側金具及び棚板側金具からなる棚板支持具を用いており、壁側金具の壁側磁着部に棚板側金具の棚板側磁着部を磁着させるとともに、壁側金具の壁側掛止部に棚板側掛止部を掛止させる構成を採用している。それにより、壁側金具の棚板支持部に対して、棚板及び棚板側金具の着脱を、工具を用いずに非常に容易に行うことができる。
その上、壁側磁着部と棚板側磁着部とが磁着した状態では、棚板側掛止部が壁側掛止部に掛止し、その状態では、棚板側金具の上方への移動が規制されるので、壁側磁着部と棚板側磁着部との磁気吸引力の作用と相俟って、棚板の落下を防止できる。
【図面の簡単な説明】
【００２５】
【図１】本発明の実施の形態に係る棚を３つ、壁に段違いに並設して、猫の運動不足解消用のステップとした例を示す斜視図である。
【図２】本発明の実施の形態に係る棚の斜視図である。
【図３】同じく縦断面右側面図である。
【図４】本発明の実施の形態に係る棚板支持具の壁側金具を壁固定手段で壁に固定する方法を示す分解斜視図である。
【図５】壁側金具を壁に固定した状態を示す斜視図である。
【図６】壁前面カバー体の取付け方法を示す斜視図である。
【図７】本発明の実施の形態に係る棚板支持具の棚板側金具の壁側金具への取付け方法を示す斜視図である。
【図８】棚板に棚板側金具を取り付けた状態で、上下を反転して示す要部拡大斜視図である。
【図９】棚板側金具を壁側金具に取り付けた状態、及び棚板下面カバー体の取付け方法を示す斜視図である。
【図１０】棚板側金具の壁側金具への取付け方法、及び棚板下面カバー体の取付け方法を示す部分縦断面右側面図である。
【図１１】棚板及び棚板側金具に棚板下面カバー体を装着した状態を示す要部拡大縦断面正面図である。
【図１２】棚板下面カバー体、並びに棚板及び棚板側金具を取り外す方法を示す縦断面右側面図である。
【図１３】棚板下面カバー体を装着した状態で、棚板側金具の取外しを規制する構造を示す縦断面右側面図である。
【図１４】棚板及び棚板側金具のセットを交換する例を示す斜視図である。
【図１５】上下を反転させて壁に固定した壁側金具に対し、棚板及び棚板側金具のセットを取り付けた状態を示す、本発明の実施の形態に係る棚の斜視図である。
【図１６】同じく縦断面右側面図である。
【発明を実施するための形態】
【００２６】
以下、本発明に係る実施形態を図面に基づいて説明する。
以下の実施形態において、壁に棚を取り付けた状態を基準として、壁から離れる方向（壁に向かった状態で手前側）を前、壁に近づく方向を後、後方へ向かって左右を定義し、前方から後方を見た図を正面図とする。
本発明における「磁着」とは、磁気吸引力が作用して磁気により吸着することをいう。
本発明における「磁着部」とは、磁着する部分のことであり、一対の磁着部において、例えば、一方はマグネット（永久磁石）であり、他方は強磁性体である。
【００２７】
＜棚＞
図１及び図２の斜視図に示す本発明の実施の形態に係る棚１０は、二つの棚板支持具１，１、及び一つの棚板Ｓを備える。
図１の斜視図は、棚１０を３つ、例えば石膏ボードである壁Ｗに段違いに並設して、猫の運動不足解消用のステップとした例を示している。
棚１０は、棚板Ｓが大きい場合等において、三つ以上の棚板支持具１，１，…で棚板Ｓを支持するようにしてもよい。
【００２８】
＜棚板支持具＞
図２の斜視図、及び図３の縦断面右側面図に示すように、棚板支持具１は、壁Ｗに取り付けて棚板Ｓを支持するものであり、壁固定手段Ｈで壁Ｗに固定される壁側金具２と、棚板固定手段Ｉで棚板Ｓに固定される棚板側金具３とを備える。
【００２９】
壁側金具２は、壁面Ｆに沿う、上下方向に長い取付板部Ａ、及び、取付板部Ａの一端部（例えば下端部）から前方へ延びる棚板支持部Ｂ、並びに、取付板部Ａと棚板支持部Ｂとの交差部に位置する壁側磁着部４であるマグネットＭ１を有する。
棚板側金具３は、棚板支持部Ｂに載った状態から取付板部Ａに近づけるように後方へスライドさせることにより、マグネットＭ１に磁着する棚板側磁着部５を有する。
【００３０】
壁側金具２の棚板支持部Ｂは、壁側掛止部である軸体６Ａ及び溝部６Ｂを有するとともに、棚板側金具３は、棚板側掛止部である掛止片７Ａ及び７Ｂを有する。
壁側磁着部４であるマグネットＭ１と棚板側磁着部５とが磁着した状態では、軸体６Ａに掛止片７Ａが掛止し、溝部６Ｂに掛止片７Ｂが掛止する。
【００３１】
＜壁側金具の取付け＞
図４の分解斜視図に示すように、左右に配置する壁側金具２，２の取付板部Ａ，Ａを壁面Ｆに位置決めした状態で、壁固定手段Ｈで壁側金具２，２を壁Ｗに固定する。
ピン受け具１１ないし１４、及び固定ピンＰ，Ｐ，…が、壁固定手段Ｈを構成する。
【００３２】
ピン受け具１１は、横長孔２Ａ，２Ａに嵌合する嵌合部、及び固定ピンＰ，Ｐ，…を挿通する傾斜孔を備え、ピン受け具１２は、横長孔２Ｂ，２Ｂに嵌合する嵌合部、及び固定ピンＰ，Ｐ，…を挿通する傾斜孔を備える。
また、ピン受け具１３は、縦長孔２Ｃに嵌合する嵌合部、及び固定ピンＰ，Ｐ，…を挿通する傾斜孔を備え、ピン受け具１４は、縦長孔２Ｄに嵌合する嵌合部、及び固定ピンＰ，Ｐ，…を挿通する傾斜孔を備える。
なお、ピン受け具１４は、壁側磁着部４であるマグネットＭ１を支持する。
【００３３】
壁側金具２の取付板部Ａの横長孔２Ａ，２Ａにピン受け具１１を嵌合した状態で、ピン受け具１１の傾斜孔に固定ピンＰ，Ｐ，…を挿通し、ピン挿入用専用部材等で固定ピンＰ，Ｐ，…を壁Ｗに打ち込む。
ピン受け具１２，１３，１４についても、同様に、傾斜孔に挿通した固定ピンＰ，Ｐ，…を壁Ｗに打ち込む。
このような壁固定手段Ｈにより、図５の斜視図に示すように、壁Ｗへの壁側金具２，２の取付けが完了する。
【００３４】
このような壁面Ｆに対する傾斜方向を変えた複数の固定ピンＰ，Ｐ，…を斜めに打ち込む壁固定手段Ｈによれば、壁材が石膏ボード、モルタル、又は発泡樹脂等であり、ビス止めが効かない脆弱な壁面Ｆであっても、壁固定手段Ｈにより壁側金具２を壁Ｗに固定できる。
その上、固定ピンＰ，Ｐ，…を抜いた穴跡は小さいので、賃貸住宅等であっても穴跡を気にせずに施工できる。
【００３５】
＜壁前面カバー体の取付け＞
図６の斜視図に示すように棚板支持部Ｂを壁前面カバー体Ｃの開口部Ｊに通し、取付板部Ａを被うように、壁前面カバー体Ｃを図７の斜視図に示すように取り付ける。
それにより、図３の縦断面右側面図に示すように、壁前面カバー体ＣのマグネットＭ２が取付板部Ａの前面に磁着するので、壁前面カバー体Ｃは、取付板部Ａと一体化する。
【００３６】
＜棚板及び棚板側金具の取付け＞
図７の斜視図、及び図８の上下を反転して示す要部拡大斜視図に示すように、棚板側金具３，３は、予め棚板固定手段Ｉで棚板Ｓに固定しておく。
図３の縦断面右側面図、及び図７の斜視図に示すように、棚板側金具３は棚板Ｓの下面側に位置する。棚板側金具３と棚板Ｓとの間に例えば座金であるスペーサ８，８を備え、棚板固定手段Ｉである取付ねじ９，９を螺着することにより、棚板側金具３を棚板Ｓに固定する。
【００３７】
このように予め一体化された棚板Ｓ及び棚板側金具３，３を、図７の斜視図、及び図１０の部分縦断面右側面図に示すように、棚板側金具３，３を棚板支持部Ｂ，Ｂに載せ、取付板部Ａに近づけるように後方へスライドさせる。
それにより、図３の縦断面右側面図に示すように、棚板側磁着部５が壁側磁着部４であるマグネットＭ１に磁着する。その状態では、図３の縦断面右側面図及び図９の斜視図に示すように、棚板側掛止部である掛止片７Ａが壁側掛止部である軸体６Ａに掛止し、棚板側掛止部である掛止片７Ｂが壁側掛止部である溝部６Ｂに掛止する。
【００３８】
＜棚板下面カバー体の取付け＞
図３の縦断面右側面図、及び図１１の要部拡大縦断面正面図に示すように、棚板側金具３と棚板Ｓとの間には、スペーサ８，８があるので、間隙Ｇを有する。
よって、図９の斜視図、及び図１０の部分縦断面右側面図に示すように、棚板下面カバー体Ｄの上面の挿入片Ｋ，Ｋを、棚板Ｓの下面に沿わせるように後方へスライドさせることにより、図３の縦断面右側面図、及び図１１の要部拡大縦断面正面図に示すように、棚板下面カバー体Ｄを、壁側金具２の棚板支持部Ｂ及び棚板側金具３を被うように装着できる。
【００３９】
図２の斜視図、及び図３の縦断面右側面図のように、壁前面カバー体Ｃにより壁側金具２の取付板部Ａを被っているとともに、棚板下面カバー体Ｄにより壁側金具２の棚板支持部Ｂ及び棚板側金具３を被っていることから、外観が滑らかな印象となるので意匠性を向上できる。
【００４０】
＜棚板及び棚板側金具の取外し＞
棚板Ｓ及び棚板側金具３，３を取り外す際には、先ず、図１２の縦断面右側面図に示すように、棚板下面カバー体Ｄ，Ｄを前方ヘスライドさせて取り外す。
次に、図３の縦断面右側面図に示す位置から図１２の縦断面右側面図の実線の位置まで棚板Ｓを前方へスライドさせる。それにより、マグネットＭ１の磁気吸引力に抗して棚板側磁着部５をマグネットＭ１から離反させるとともに、掛止片７Ａの軸体６Ａへの掛止及び掛止片７Ｂの溝部６Ｂへの掛止を解除する。
次に、図１２の縦断面右側面図の二点鎖線のように棚板Ｓを上方へ持ち上げることにより、棚板Ｓ及び棚板側金具３，３を取り外すことができる。
【００４１】
図１２の縦断面右側面図に示す棚板Ｓ及び棚板側金具３，３の取外し時における棚板Ｓの前方へのスライド移動は、図１３の縦断面右側面図に示すように棚板側金具３，３の当止片Ｅ，Ｅが棚板支持部Ｂ，Ｂの軸体６Ａ，６Ａに当止されることで規制されるので、棚板Ｓ不意の落下を防止できる。
ここで、本実施の形態では、当止片Ｅの機能を棚板側磁着部５に持たせているので、部品点数を削減できる。
【００４２】
図１１の要部拡大縦断面正面図、及び図１３の縦断面右側面図に示すように棚板下面カバー体Ｄを装着した状態では、スペーサ８により形成される棚板側金具３と棚板Ｓの間の間隙Ｇに、棚板下面カバー体Ｄの挿入片Ｋ，Ｋ（図９の斜視図も参照）が挿入されている。
間隙Ｇに挿入された挿入片Ｋ，Ｋにより、壁側金具２の棚板支持部Ｂから棚板側金具３を取り外すことが規制されるので、図１２の縦断面右側面図の二点鎖線のように棚板Ｓを上方へ持ち上げることができない。
このような構成により、棚板下面カバー体Ｄを装着した状態では、棚板Ｓの落下を確実に防止できる。
【００４３】
以上のような本発明の実施の形態に係る棚板支持具１によれば、壁Ｗに固定した壁側金具２の棚板支持部Ｂ上に、棚板側金具３を取り付けた棚板Ｓを載置し、棚板側金具３を取付板部Ａに近づけるように後方へスライドさせ、棚板側磁着部５を壁側磁着部４に磁着させる。それにより、棚板Ｓの取付けが完了するとともに、棚板Ｓの前方へのスライドを妨げる方向に磁気吸引力が作用する。
その上、壁側磁着部４と棚板側磁着部５とが磁着した状態では、棚板側掛止部７Ａ，７Ｂが壁側掛止部６Ａ，６Ｂに掛止する。それにより、棚板側金具３の上方への移動が規制されるので、前記磁気吸引力の作用と相俟って、棚板Ｓの落下を防止できる。
棚板Ｓを取り外す際には、棚板Ｓを前方へスライドさせることにより、前記磁気吸引力に抗して棚板側磁着部５を壁側磁着部４から離反させるとともに、棚板側掛止部７Ａ，７Ｂの壁側掛止部６Ａ，６Ｂへの掛止を解除する。それにより棚板Ｓ及び棚板側金具３，３を取り外すことができる。
【００４４】
以上のとおり、棚１０において、壁側金具２及び棚板側金具３からなる棚板支持具１を用いているので、棚板Ｓ及び棚板側金具３，３の着脱を、工具を用いずに非常に容易に行うことができる。
よって、既設の複数の棚、例えば図１４の斜視図に示す既設の三つの棚１０，…の間で、異なる棚板Ｓ１，Ｓ２，Ｓ３を使用者が容易に交換できる。
また、既設の棚１０に対して、使用者が、内装の変更又は自身の好み若しくは気分等に合わせて選択した棚板を容易に付け替えることができる。
【００４５】
図３の縦断面右側面図、及び図４の分解斜視図に示すように、壁側金具２の棚板支持部Ｂは上下対称形状である。すなわち、図３における棚板支持部Ｂの上面Ｕ及び棚板支持部Ｂの下面Ｌは水平であり、壁側掛止部である軸体６Ａ及び溝部６Ｂも含め、水平線Ｎを対称の軸とする線対称である。
よって、図３の縦断面右側面図に示すような、壁側金具２の棚板支持部Ｂが取付板部Ａの下端部から前方へ延びた形態（第１形態）とともに、壁側金具２の上下を反転させた、図１５の斜視図、及び図１６の縦断面右側面図に示すような、壁側金具２の棚板支持部Ｂが取付板部Ａの上端部から前方へ延びた形態（第２形態）としても、棚板支持部Ｂ上に棚板Ｓを取り付けることができる。
【００４６】
すなわち前記第２形態においても、棚板側金具３を、棚板支持部Ｂに載った状態から取付板部Ａに近づけるように後方へスライドさせることにより、図１６の縦断面右側面図のように壁側磁着部４であるマグネットＭ１と棚板側磁着部５とが磁着し、壁側掛止部である軸体６Ａに棚板側掛止部である掛止片７Ａが掛止し、壁側掛止部である溝部６Ｂに棚板側掛止部である掛止片７Ｂが掛止する。
【００４７】
このような構成によれば、上下方向に長い取付板部Ａ及び取付板部Ａの一端部から前方へ延びる棚板支持部Ｂにより構成される側面視略Ｌ字状の壁側金具２を、前記第１形態（図３）及び前記第２形態（図１６）の両形態で、棚板支持部Ｂ上に棚板Ｓを取り付けることができるので、棚１０の使い勝手を向上できる。
【００４８】
ここで、前記第２形態を示す図１６では、その棚板支持部Ｂにおいて、図３における棚板支持部Ｂの上面Ｕが下面になっており、図３における棚板支持部Ｂの下面Ｌが上面になっている。
また、前記第１形態から前記第２形態にすると、前記第１形態である図７において壁側金具２の右側にある溝部６Ｂが、前記第２形態である図１５及び図１６では壁側金具２の左側に位置する。
しかしながら、図７に示すように、棚板側金具３には左右に掛止片７Ｂ，７Ｂがあるので、前記第１形態（図３）及び前記第２形態（図１６）の両方の形態で、棚板側磁着部５が壁側磁着部４であるマグネットＭ１に磁着した状態で、掛止片７Ｂが溝部６Ｂに掛止する。
【００４９】
以上の実施の形態の記載はすべてすべて例示であり、これに制限されるものではない。本発明の範囲から逸脱することなく種々の改良及び変更を施すことができる。
【符号の説明】
【００５０】
１  棚板支持具
２  壁側金具
２Ａ，２Ｂ  横長孔
２Ｃ，２Ｄ  縦長孔
３  棚板側金具
４  壁側磁着部
５  棚板側磁着部
６Ａ  軸体（壁側掛止部）
６Ｂ  溝部（壁側掛止部）
７Ａ，７Ｂ  掛止片（棚板側掛止部）
８  スペーサ
９  取付ねじ
１０  棚
１１，１２，１３，１４  ピン受け具
Ａ  取付板部
Ｂ  棚板支持部
Ｃ  壁前面カバー体
Ｄ  棚板下面カバー体
Ｅ  当止片
Ｆ  壁面
Ｇ  間隙
Ｈ  壁固定手段
Ｉ  棚板固定手段
Ｊ  開口部
Ｋ  挿入片
Ｌ  棚板支持部の下面
Ｍ１，Ｍ２  マグネット
Ｎ  水平線（対称の軸）
Ｐ  固定ピン
Ｓ，Ｓ１，Ｓ２，Ｓ３  棚板
Ｕ  棚板支持部の上面
Ｗ  壁
【図１】
2019129929.tif 000003
【図２】
2019129929.tif 000004
【図３】
2019129929.tif 000005
【図４】
2019129929.tif 000006
【図５】
2019129929.tif 000007
【図６】
2019129929.tif 000008
【図７】
2019129929.tif 000009
【図８】
2019129929.tif 000010
【図９】
2019129929.tif 000011
【図１０】
2019129929.tif 000012
【図１１】
2019129929.tif 000013
【図１２】
2019129929.tif 000014
【図１３】
2019129929.tif 000015
【図１４】
2019129929.tif 000016
【図１５】
2019129929.tif 000017
【図１６】
2019129929.tif 000018